(57)【要約】      （修正有）【課題】昇降路内の限られた空きスペースを有効活用し、かつ、運搬及び設置場所への搬入が便利で、しかも、他機器との間で電送を行うケーブルの接続作業性および余長処理作業性が良好なエレベーター制御盤を提供する。【解決手段】昇降路内に設置され、内部にエレベーター乗りかごを制御する装置を備え、他機器との間で電送を行うケーブルを筐体下方向より接続するエレベーター制御盤１において、前記エレベーター制御盤１の筐体は下方向に延長拡大可能な延長構造を備える。【選択図】図２
2008150161.tif 000002
【特許請求の範囲】
【請求項１】
かごが昇降する昇降路内に設置され、内部にエレベーター乗りかごを制御する装置を備え、他機器との間で電送を行うケーブルを筐体下方向より接続するエレベーター制御盤であって、前記エレベーター制御盤の筐体は下方向に延長拡大可能な延長構造を備えたことを特徴とするエレベーター制御盤。
【請求項２】
前記延長構造に前記ケーブルの固定手段を備えたことを特徴とする、前記請求項１記載のエレベーター制御盤。
【請求項３】
前記エレベーター制御盤の筐体は、前面が開放された箱体と、前記箱体内に装着されたターミナルコネクタと、前記箱体の前面に着脱自在に係止された蓋体と、前記箱体の下部に下方向に伸縮自在に取付られた追加箱体と、前記蓋体の下部に下方向に伸縮自在に取付られた追加蓋体と、を備えたことを特徴とする前記請求項１記載のエレベーター制御盤。
【請求項４】
前記エレベーター制御盤の筐体は、前面が開放された箱体と、前記箱体内に装着されたターミナルコネクタと、前記箱体の前面に開閉自在に枢設された扉と、前記箱体の下部に下方向に伸縮自在に取付られた追加箱体と、前記扉の下部に下方向に伸縮自在に取付られた追加扉と、を備えたことを特徴とする前記請求項１記載のエレベーター制御盤。
【請求項５】
前記伸縮自在な取付手段は、一対のスリットを用いたことを特徴とする、前記請求項３又は前記請求項４に記載のエレベーター制御盤。
【請求項６】
前記伸縮自在な取付手段は、複数対の取付孔を用いたことを特徴とする、前記請求項３又は前記請求項４に記載のエレベーター制御盤。
【請求項７】
前記追加箱体に前記ケーブルの固定手段を備えたことを特徴とする、前記請求項３から前記請求項６のいずれかに記載のエレベーター制御盤。
【発明の詳細な説明】
【技術分野】
【０００１】
この発明は、エレベーターの昇降路内に設置されるエレベーター制御盤に関するものである。
【背景技術】
【０００２】
従来の、エレベーターの昇降路内に設置されるエレベーター制御盤においては、保守点検作業時の効率性から、昇降路内の同一高さに各種制御盤が水平方向に分散されて設置されている（例えば、特許文献１参照）。また、エレベーター制御盤内の各種制御装置と他機器との間で電送を行うケーブルは、エレベーター制御盤の下方向より接続されることが多い（例えば、特許文献２参照）。
このようなエレベーター制御盤の筐体に関しては、保守点検時に必要な面を開放する手段として、エレベーター制御盤の扉をヒンジ等で回動開閉する構成にしたものや、取り外し式のカバーで構成したものが知られている（例えば、特許文献３参照）。
【０００３】
【特許文献１】特開２０００−１５９４５３号公報（実施の形態１、図１、図２）
【特許文献２】国際公開第９９／６５８１１号パンフレット（実施の形態１、図１）
【特許文献３】特開２０００−１５９４５２号公報（従来の技術、図１０、図１１）
【発明の開示】
【発明が解決しようとする課題】
【０００４】
従来のエレベーター制御盤では、昇降路内の同一高さに各種制御盤を水平方向に分散して設置するために、限られた昇降路平面スペース内に密に配置しなければならず、各種制御盤および他機器の前後左右方向に十分なスペースの余裕は無い。この為、エレベーター制御盤のサイズを拡大することは困難であり、また、エレベーター制御盤内の各種制御装置と他機器との間で電送を行うケーブルは、エレベーター制御盤の下面より行わざるを得ない。
エレベーター制御盤内の下部の限られたスペースで行う電送ケーブル接続作業に係る作業性は決して良好ではなく、特に下方向から接続する電送ケーブル数が多く、電送ケーブル余長も長い場合、電送ケーブルがエレベーター制御盤内に収まり切らずに保守点検用の筐体扉またはカバーが閉め辛いという課題があった。この際に、扉またはカバーを無理に閉めることによりエレベーター制御盤の内部実装機器を破損する恐れがあるという課題もある。また、これら課題に伴う悪影響をなるべく軽減する為には、電送ケーブルの余長処理を丁寧に行う必要が出てくる為に、作業に時間がかかるという課題も存在する。
また、エレベーター制御盤の形状を設置場所のスペースに合わせると、制御盤は上下に長い構造にならざるを得なくなるが、このような上下に長い長尺物は運搬及びエレベーター昇降路内への搬入において不便であるという課題がある。
【０００５】
この発明は、上述のような課題を解決するためになされたもので、昇降路内の限られた空きスペースを有効活用し、かつ、運搬及び設置場所への搬入が便利で、しかも、他機器との間で電送を行うケーブルの接続作業性および余長処理作業性が良好なエレベーター制御盤を得るものである。
【課題を解決するための手段】
【０００６】
この発明に係るエレベーター制御盤は、エレベーター乗りかごが昇降する昇降路内に設置され、乗りかごを制御する装置を備え、他機器との間で電送を行うケーブルを筐体下方向より接続するエレベーター制御盤であって、該エレベーター制御盤の筐体を下方向に延長拡大可能な延長構造を備える。
【発明の効果】
【０００７】
この発明は、エレベーター制御盤に関し該エレベーター制御盤の筐体を下方向に延長拡大可能な延長構造を備えることで、昇降路内の限られた空きスペースを有効活用することができると共に、エレベーター制御盤の運搬及び昇降路内への搬入が容易であるという効果を奏する。
また、この発明に係るエレベーター制御盤は、他機器との間で電送を行うケーブルの余長に合わせてエレベーター制御盤筐体のサイズを調節できることから、予め加工したケーブル端末を設置現場であるエレベーター昇降路内で再加工する必要性を最小限に抑える（場合によっては再加工を不要にする）ことが可能であり、接続作業性および余長処理作業性が良好である、という効果も奏する。
【発明を実施するための最良の形態】
【０００８】
実施の形態１．
図１は、この発明の実施の形態１を示すものである。図１において、エレベーター制御盤１の箱体２内にはエレベーター乗りかご（図示せず）を制御する各種制御装置（図示せず）とターミナルコネクタ３が装着されており、前記ターミナルコネクタ３には下方向より多数のケーブル４が接続される。前記箱体２は保守点検用に前面が開放された形状になっており、ケーブル接続作業や保守点検等を行っていない時は、この保守点検面に蓋体５を着脱自在に係止し、前記保守点検面を覆い隠せる構造になっている。
前記係止手段として、前記箱体２の左右両側壁前面には複数の係止ピン２Ａを、また、前記蓋体５の左右両側端部には前記係止ピン２Ａに対応した複数の係止孔５Ａを、それぞれ設ける。前記係止孔５Ａは相対的に小径の孔と相対的に大径の孔とが結合した、いわゆるダルマ孔で、小径部が上方にくるように穿設され、前記係止ピン２Ａは頭付ピンとする。この時、前記係止孔５Ａ大径部の径は前記係止ピン２Ａ頭部の径より大きくなるようにし、前記係止孔５Ａ小径部の径は前記係止ピン２Ａ頭部の径より小さく、かつ、前記係止ピン２Ａ頚部の径より大きくなるようにする。
前記箱体２の下部には、両側面に一対のスリット６Ａを備えた追加箱体６が、前記スリット６Ａを介して追加箱体固定ねじ６Ｂにより、下方向に伸縮自在に取り付けられている。
また、前記箱体２及び前記追加箱体６の構造に対応して、前記蓋体５の下部には、一対のスリット７Ａを備えた追加蓋体７が、前記スリット７Ａを介して追加蓋体固定ねじ７Ｂにより、下方向に伸縮自在に取り付けられている。なお、この追加蓋体７を備えることに伴い、前記係止孔５Ａは、前記蓋体５の、前記追加蓋体７により隠されることがないような位置に設ける必要がある。
【０００９】
図１の状態は、前記エレベーター制御盤１の筐体を延長していない状態である。前記追加箱体６は前記箱体２に対し、相対的に最も上方になるように追加箱体固定ねじ６Ｂにより固定され、また、前記追加蓋体７は前記蓋体５に対し、同じく相対的に最も上方になるように追加蓋体固定ねじ７Ｂにより固定されている。
前記ケーブル４の接続作業時は、前記蓋体５及び前記追加蓋体７を取り外して、前記ケーブル４の端末を前記ターミナルコネクタ３に接続する。前記箱体２の下部にはケーブル固定具８が着脱自在に備えられており、これを用いて前記ケーブル４を固定する。
図１の状態のまま使用する場合、前記ケーブル固定具８から前記ターミナルコネクタ３までに至る前記ケーブル４の余長が長いと、前記ケーブル４の余長を処理するなどして、前記エレベーター制御盤１内に完全に収容しなくてはならない。これは、前記エレベーター制御盤１とエレベーター乗りかご（図示せず）との干渉の危険を避けるためである。
【００１０】
さて、この発明によれば、前記ケーブル４の余長が長い場合でも、余長処理を施すことなく前記ケーブル４等のエレベーター制御盤内実装装置を前記エレベーター制御盤１内に収容することが可能になる。すなわち、前記エレベーター制御盤１の下方向に空きスペースが存在すれば、前記エレベーター制御盤１の筐体を下方向に延長することにより、前記エレベーター制御盤１内に前記ケーブル４等の収容スペースを作り出し、かつ、ケーブル接続作業性を向上させることができる。
具体的には、前記追加箱体固定ねじ６Ｂを一旦緩めた状態で、前記追加箱体６を下方向にスライドさせた後、再び前記追加箱体固定ねじ６Ｂを締めて固定する。同様にして、前記追加蓋体固定ねじ７Ｂを一旦緩めた状態で、前記追加蓋体７を下方向にスライドさせた後、再び前記追加蓋体固定ねじ７Ｂを締めて固定する。
図２の状態は、前述の方法により追加箱体６及び追加蓋体７を下方向にスライドさせ、前記エレベーター制御盤１の筐体を下方向に最大限延長した状態である。前記追加箱体６は前記箱体２に対し、相対的に最も下方になるように追加箱体固定ねじ６Ｂにより固定され、また、前記追加蓋体７は前記蓋体５に対し、同じく相対的に最も下方になるように追加蓋体固定ねじ７Ｂにより固定されている。
前記ケーブル４は下方向よりエレベーター制御盤１内へと差し込まれ、その端末はターミナルコネクタ３に接続される。前記ケーブル４は前記ケーブル固定具８で固定されるが、この際、図１では前記箱体２の下部で前記ケーブル４の固定に用いられていた前記ケーブル固定具８を、前記追加箱体６の下部へと移動させて、前記ケーブル４の固定に用いる。
【００１１】
以上は、前記エレベーター制御盤１に収容する前記ケーブル４の本数が多い場合を主に述べたが、前記ケーブル４の本数が少なく、前記ケーブル４の余長が邪魔にならない場合は、図１に示すような、前記エレベーター制御盤１の筐体を延長しない状態で使用することにより、エレベーター昇降路（図示せず）内のスペースを有効に活用することが可能になる。
また、前記追加箱体６及び前記追加蓋体７を伸縮可能範囲の任意の位置で固定することにより、前記ケーブル４の余長に再加工処理を施すことなく前記ケーブル４の本数及び余長と前記エレベーター制御盤１の設置場所のスペースに応じた、最適の筐体サイズに調節することが可能で、この際に前記エレベーター制御盤１と水平に並んで設置されている他機器に対し、干渉を起こす等の悪影響を及ぼす心配もない。
更に、設置場所に応じて前記エレベーター制御盤１の筐体サイズを調節できることから、この発明のエレベーター制御盤筐体１種類をもって、多種類のエレベーター昇降路に設置することもできるようになる。
【００１２】
実施の形態２．
図３は、この発明の実施の形態２を示すものである。図３において、図１と同符号は同一部分を示しており、説明を省略する。９は一側がヒンジ１０を介して前記箱体２に枢設されて前記箱体２の保守点検面を自在に開閉する扉で、ケーブル接続作業や保守点検等を行っていないときは、前記保守点検面を覆い隠せるようになっている。前記扉９の下部には一対のスリット１１Ａを備えた追加扉１１が、前記スリット１１Ａを介して追加扉固定ねじ１１Ｂにより、下方向に伸縮自在に取り付けられている。
この実施の形態２においても、必要に応じ前記追加箱体６及び前記追加扉１１を下方向にスライド、延長することにより、前記実施の形態１同様の効果を得ることが可能である。
【００１３】
実施の形態３．
図４は、この発明の実施の形態３を示すものである。図４において、図１と同符号は同一部分を示しており、説明を省略する。実施の形態１で、前記追加箱体６の両側面に設けていた一対のスリット６Ａの代わりに、上下に適当な間隔で穿設された複数対の取付孔６Ｃを設ける。この時、前記取付孔６Ｃの各対同士はそれぞれ同じ高さにあるようにする。同様にして、前記追加蓋体７に設けていた一対のスリット７Ａの代わりに、上下に前記取付孔６Ｃと同様の間隔で穿設された複数対の取付孔７Ｃを設け、前記取付孔７Ｃの各対同士はそれぞれ同じ高さにあるようにする。
【００１４】
前記追加箱体６を、適当なある一対の取付孔６Ｃを介して、前記追加箱体固定ねじ６Ｂにより着脱自在に前記箱体２に螺着する。同様にして、前記追加蓋体７を、先ほど前記追加箱体６の螺着時に選択した一対の取付孔６Ｃに対応する取付孔７Ｃを介して、前記追加蓋体固定ねじ７Ｂにより着脱自在に前記蓋体５に螺着する。このようにしても、前記ケーブル４の本数及び余長と前記エレベーター制御盤１の設置場所のスペースに応じて、前記エレベーター制御盤１の筐体サイズを調節することが可能であり、この実施の形態３によっても、前記実施の形態１と同様の効果が得られる。
【図面の簡単な説明】
【００１５】
【図１】この発明の実施の形態１において延長しない状態のエレベーター制御盤を示す斜視図である。
【図２】この発明の実施の形態１において延長した状態のエレベーター制御盤を示す斜視図である。
【図３】この発明の実施の形態２において延長した状態のエレベーター制御盤を示す斜視図である。
【図４】この発明の実施の形態３において延長した状態のエレベーター制御盤を示す斜視図である。
【符号の説明】
【００１６】
１    エレベーター制御盤
２    箱体
２Ａ  係止ピン
３    ターミナルコネクタ
４    ケーブル
５    蓋体
５Ａ  係止孔
６    追加箱体
６Ａ  スリット
６Ｂ  追加箱体固定ねじ
６Ｃ  取付孔
７    追加蓋体
７Ａ  スリット
７Ｂ  追加蓋体固定ねじ
７Ｃ  取付孔
８    ケーブル固定具
９    扉
１０    ヒンジ
１１    追加扉
１１Ａ  スリット
１１Ｂ  追加扉固定ねじ
【図１】
2008150161.tif 000003
【図２】
2008150161.tif 000004
【図３】
2008150161.tif 000005
【図４】
2008150161.tif 000006